(57)【要約】      （修正有）【課題】日照等外光の採光量、及び目隠しの程度をより自由に両立させて自由に調整できる自由度の高いブラインドを提供する。【解決手段】並列に対向可能に設けられた2以上の自己曲折・回動目隠し１０９は２以上の支持材１０２に設けられており、前記支持材１０２は、前記自己曲折・回動目隠し１０９の位置を保持し前記１以上の前記支持材１０２が移動可能とすることによって、前記自己曲折・回動目隠し１０９の曲折率あるいは面角度が可変であるブラインド構造である。【選択図】図１
2019183393.tif 000002
【特許請求の範囲】
【請求項１】
ブラインド構造（１）であって、
前記ブラインド構造（１）は、略並列に対向可能に設けられた２以上の目隠し材（１０１）から成り、
前記目隠し材（１０１）が、
曲折可能な可撓性シート部材（１６１）から成る自己曲折・回動目隠し（１０９）であり、
2以上の前記自己曲折・回動目隠し（１０９）は略並列に、支持材（１０２）に設けられており、
該支持材（１０２）は、前記自己回動目隠しの片側だけに設けられる場合は、２以上で、両側以上に設けられる場合は、４以上であり、
前記支持材（１０２）は、前記自己曲折・回動目隠し（１０９）の位置を保持し
前記１以上の支持材（１０２）は
前記目隠し材（１０１）が並んだ方向である目隠し材（１０１）並列方向あるいは、係るブラインド構造（１）の前面に対して垂直方向であるブラインド面直方向、あるいは橋架した目隠し材（１０１）の橋架方向つまり橋架させている支持材（１０２）同士が近づいたり離れたりする方向である橋架方向に移動可能に設けられており、
前記支持材（１０２）が移動可能とすることによって、前記自己曲折・回動目隠し（１０９）の曲折率あるいは面角度が可変であることを特徴とするブラインド構造（１）。
【請求項２】
ブラインド構造（１）であって、
前記ブラインド構造（１）は、略並列に対向可能に設けられた２以上の目隠し材（１０１）から成り、
前記目隠し材（１０１）が、
曲折、回動可能に曲折可能な回動構造を構成する曲折連結部材（１０６）を備えて、
自己の曲折、回動可能部分である曲折回動構造部（１０７）を備えた自己曲折・回動目隠し（１０９）であり、
2以上の前記自己曲折・回動目隠し（１０９）は略並列に、支持材（１０２）に前記曲折回動構造部（１０７）において曲折、回動可能に設けられており、
前記支持材（１０２）は、前記自己回動目隠しの片側だけに設けられる場合は、２以上で、両側以上に設けられる場合は、４以上であり、
前記支持材（１０２）は、前記自己曲折・回動目隠し（１０９）の位置を保持し
前記１以上の支持材（１０２）は
前記目隠し材（１０１）が並んだ方向である目隠し材（１０１）並列方向あるいは、係るブラインド構造（１）の前面に対して垂直方向であるブラインド面直方向、あるいは橋架した目隠し材（１０１）の橋架方向つまり橋架させている支持材（１０２）同士が近づいたり離れたりする方向である橋架方向に移動可能に設けられており、
前記支持材（１０２）が移動可能とすることによって、前記自己曲折・回動目隠し（１０９）の曲折率あるいは面角度が可変であることを特徴とするブラインド構造（１）。
【請求項３】
ブラインド構造（１）であって、ブラインドを構成する２以上の目隠し材（１０１）が、
曲折、回動可能な回動構造を構成する曲折連結部材（１０６）によって連結されて
自己の曲折、回動可能部分である曲折回動構造部（１０７）を備えた自己曲折・回動目隠し（１０９）であり、
前記２以上の自己曲折・回動目隠し（１０９）が、略並列に支持材（１０２）に前記曲折回動構造部（１０７）において曲折、回動可能に設けられており、
前記支持材（１０２）は、前記自己回動目隠しの片側だけに設けられる場合は、２以上で、両側以上に設けられる場合は、４以上であり、
前記支持材（１０２）は、前記自己曲折・回動目隠し（１０９）の位置を保持し
前記１以上の支持材（１０２）は
前記目隠し材（１０１）が並んだ方向である目隠し材（１０１）並列方向あるいは、係るブラインド構造（１）の前面に対して垂直方向であるブラインド面直方向、あるいは橋架した目隠し材（１０１）の橋架方向つまり橋架させている支持材（１０２）同士が近づいたり離れたりする方向である橋架方向に移動可能に設けられており、
前記支持材（１０２）が移動可能とすることによって、前記自己曲折・回動目隠し（１０９）の曲折率あるいは面角度が可変であることを特徴とするブラインド構造（１）。
【請求項４】
前記支持材（１０２）が、前記自己曲折・回動目隠し（１０９）の４つの略角部である、目隠し角部の位置を、互いに相対的に移動させることによって、前記曲折連結部材（１０６）において曲折、回動可能に前記自己曲折・回動目隠し（１０９）に設けられていることを特徴とする請求項１から請求項３のいずれかに記載のブラインド構造（１）。
【請求項５】
前記目隠し材（１０１）が、可撓性のシート部材（１６１）である、可撓性シートであることを特徴とする請求項１から請求項４のいずれかに記載のブラインド構造（１）。
【請求項６】
前記目隠し材（１０１）が、板材であることを特徴とする請求項２から請求項４のいずれかに記載のブラインド構造（１）。
【請求項７】
前記自己曲折・回動目隠し（１０９）が、該自己曲折・回動目隠し（１０９）に設けられた穴部に前記支持材（１０２）が、貫通して設けられていることを特徴とする請求項１から請求項６のいずれかに記載のブラインド構造（１）。
【請求項８】
前記自己曲折・回動目隠し（１０９）が、前記支持材（１０２）に、前記自己曲折・回動目隠し（１０９）と前記支持材（１０２）を曲折、回動可能に設けられる回動支持構造（１０５）を介して曲折、回動可能に設けられていることを特徴とする、請求項１から請求項７のいずれかに記載のブラインド構造（１）。
【請求項９】
前記支持材（１０２）が、互いに近付いたり、離れたりすることが可能に設けられ、前記支持材（１０２）が互いに近付いたり、離れたりすることによって、前記自己曲折・回動目隠し（１０９）の曲折回動構造部（１０７）の角度を変更可能であることを特徴とする請求項１から請求項８のいずれかに記載のブラインド構造（１）。
【請求項１０】
前記支持材（１０２）が、レールであるスライドレール （１２９）に設けられることによって互いに近付いたり、離れたりすることが可能であることで、前記自己曲折・回動目隠し（１０９）の曲折回動構造部（１０７）の角度を変更可能であることを特徴とする請求項１から請求項９のいずれかに記載のブラインド構造（１）。
【請求項１１】
前記２以上の支持材（１０２）の内、１以上の前記支持材（１０２）が、互いの平行方向に移動可能で、前記自己曲折・回動目隠し（１０９）の前記支持材（１０２）に設けられている部分の位置を変えることによって、前記曲折連結部材（１０６）の角度を変えることが可能である方向に移動可能に設けられていることを特徴とする請求項１から請求項９のいずれかに記載のブラインド構造（１）。
【請求項１２】
前記支持材（１０２）が、前記支持係止部材 （１４７）を介して前記自己曲折・回動目隠し（１０９）に、該曲折回動構造部（１０７）の位置を保持及び移動可能で且つ、前記曲折回動構造部（１０７）を前記自己曲折・回動目隠し（１０９）の他辺より高くまで移動可能に設けられていることを特徴とする請求項１から請求項１１のいずれかに記載のブラインド構造（１）。
【請求項１３】
前記目隠し材（１０１）が、回動支持構造（１０５）によって形成される回動軸方向の辺が傾斜した斜め方向に設けられていることを特徴とする請求項１から請求項１２のいずれかに記載のブラインド構造（１）。
【請求項１４】
ブラインド構造（１）であって、
前記ブラインド構造（１）は、略並列に対向可能に設けられた２以上の目隠し材（１０１）から成り、
前記目隠し材（１０１）が、
１以上の支持材（１０２）に設けられており、
前記支持材（１０２）は、前記目隠し材（１０１）の位置を保持し、前記目隠し材（１０１）が前記支持材（１０２）と前記目隠し材（１０１）を回動可能に設けられる構成の回動支持構造（１０５）によって形成される回動軸方向の辺が傾斜した斜め方向に設けられていることを特徴とするブラインド構造（１）。
【請求項１５】
前記目隠し材（１０１）の位置を保持可能に設けられた前記支持材（１０２）が、前記目隠し材（１０１）の両端の位置をそれぞれ独立して変更可能に設けられ、前記目隠し材（１０１）の回動支持構造（１０５）によって形成される回動軸方向の辺の傾斜角度が変更可能であることを特徴とする請求項１から請求項１４のいずれかに記載のブラインド構造（１）。
【請求項１６】
前記回動支持構造（１０５）によって形成される回動軸方向の辺の傾斜角度が斜め方向に設けられているブラインド構造（１）が、左右に連結され、
前記左右に連結されたのブラインド構造（１）において、前記目隠し材（１０１）の前記斜め方向の傾斜角度または、傾斜方向がそれぞれ異なることによって、より広いエリアに外光を前記目隠し材（１０１）に反射させて届けることが可能であることを特徴とする請求項１から請求項１５のいずれかに記載のブラインド構造（１）。
【請求項１７】
前記回動支持構造（１０５）によって形成される回動軸方向の辺の傾斜角度が斜め方向に設けられている目隠し材（１０１）が、前記斜め方向の傾斜角度または、傾き方向を変更可能であることを特徴とする請求項１から請求項１６のいずれかに記載のブラインド構造（１）。
【請求項１８】
前記ブラインド構造（１）の支持材（１０２）が水平方向にスライドして移動可能に設けられているレールであるスライドレール （１２９）が、曲折可能なレール回動構造（１９１）を備えたスライド回動レール（１９２） であり、前記スライド回動レール（１９２） が曲折することにより、前記自己曲折・回動目隠し（１０９）の曲折あるいは前記斜め方向の傾斜角度の変更と合わせて、前記スライド回動レール（１９２） が対応して曲折可能であることによって前記支持材（１０２）間の距離を変更可能であることを特徴とする、請求項１から請求項１７のいずれかに記載のブラインド構造（１）。
【請求項１９】
前記１以上のスライドレール （１２９）またはスライド回動レール（１９２） が移動可能に設けられたことを特徴とする請求項１０から請求項１８のいずれかに記載のブラインド構造（１）。
【請求項２０】
前記１以上のスライドレール （１２９）またはスライド回動レール（１９２） が、前記スライドレール （１２９）またはスライド回動レール（１９２） を移動可能にする為の  レール用レール（２１１）に設けられることによって、移動可能に設けられたことを特徴とする請求項１０から請求項１９のいずれかに記載のブラインド構造（１）。
【請求項２１】
前記ブラインド構造（１）の一連の目隠し材（１０１）が全て一方に寄せられて、全開にすることが可能に設けられていることを特徴とする、請求項１から請求項２０のいずれかに記載のブラインド構造（１）。
【請求項２２】
前記自己曲折・回動目隠し（１０９）の一部または全部が、網状であることを特徴とする、請求項１から請求項２１のいずれかに記載のブラインド構造（１）。
【請求項２３】
前記自己曲折・回動目隠し（１０９）の前記曲折回動構造部（１０７）が、網状である部分と、網状でない部分の境界であることにより、網部で前記ブラインド構造（１）の前面と背面を遮断可能で、それにより、虫の侵入を遮断可能で、且つ、網状でない部分で、目隠しの調整が可能であることを特徴とする、請求項１から請求項２２のいずれかに記載のブラインド構造（１）。
【請求項２４】
前記目隠し材（１０１）が、前記目隠し材（１０１）に反射した光が、分散して反射可能に連続的な凹条部及び凸条部を設けていることを特徴とする請求項１から請求項２３のいずれかに記載のブラインド構造（１）。
【請求項２５】
前記連続的な凹条部及び凸条部が連続的に、前記回動支持構造（１０５）によって形成される回動軸方向の辺に対して略垂直方向に設けられていることによって、光を分散可能であることを特徴とする請求項１から請求項２４のいずれかに記載のブラインド構造（１）。
【請求項２６】
前記目隠し材（１０１）に、反射板を設けたことを特徴とする請求項１から請求項２５のいずれかに記載のブラインド構造（１）。
【発明の詳細な説明】
【技術分野】
【０００１】
本発明は、ブラインド使用目的の自由度を高めたブラインドの構造に関する。
【背景技術】
【０００２】
従来、ブラインドの役割としては、室内の室外からの目隠しと、外からの直射日光の遮光といった役割が一般的である。
【０００３】
また、ブラインドの構造としては、複数の板状材が並列に並んでおり、その板状材を一律に開閉して目隠しや遮光の調整をするのが一般的である。
【０００４】
しかしながら、そうしたブラインドにおいては、少し開いた状態であると、真正面からの視線は遮断することができたとしても、例えば、高層ビル等において、斜め上や、斜め下の隣の高層ビルの部屋等からは、かなり丸見えになってしまうという課題があった。
【０００５】
つまり、特にそうした場に設置されるブラインドにおいては、外光を採光しながら目隠しをするというのは、困難であるという課題があった。
【０００６】
また、そうした視線を、完全に遮断するべく、ブラインドを完全に閉じてしまうと、暗くなり、電灯をつけなければならないという課題もあり、また、カーテンの場合は、カーテンの厚さ、色、目の細かさ等でそうした遮光性と遮視性は決まってくるため、一枚のカーテンで、明るさと目隠し程度の調整を両立するのは困難である。
【０００７】
また、遮光については、この様に目隠しと明るさを調整の両立は困難であるという問題点があり、遮光と遮視を自由度高く両立可能なブラインドが求められている。
【０００８】
このような上記問題に鑑みて、従来技術として、例えば「ブラインド」が提案され、公知技術となっている（特許文献１参照）。具体的には、複数のスラットを整列状態に支持するとともにスラットの傾斜角度を可変とするためのラダーコードと、スラットを昇降させるための昇降コードと、を備えたブラインドにおいて、上側スラット群と下側スラット群とが、ラダーコードによって異なる傾斜角度に支持可能であり、昇降コードは、スラットの長手方向の側縁に沿って配置される構成となっているが、前記問題の十分な解決に至っていない。
【０００９】
また、従来技術として、本願発明者により、例えば「柵と棚構造」が提案され、本願出願時点では、未公知技術となっている（特許文献２参照）。
具体的には、少なくとも３以上の柵用板状材は、それぞれ、柵用板状材を設置する為の支持材に略並列に取り付けられており、該柵用板状材のうち、１以上の柵用板状材は、支持材に回動または回転することにより開閉が可能な回動開閉構造である主回動開閉構造を介して斜めに取り付けられた開閉柵板主材を形成し、該開閉柵板主材は、単独で回動回転開閉可能である柵構造であり、また、開閉柵板主材の連結についても述べている。
【００１０】
しかしながら、より広い応用、活用範囲、よりシンプルあるいは多彩な部材、構造、及び、より発展的な部材、構造とその製造方法を開発するといった課題も追及すべきといえる。
【００１１】
そこで、本願発明者は、これらの問題を解決すべく、ブラインドを構成する目隠し材の開閉構造に、更に大きな自由度を持たせることの効果に着目をし、その自由度を活用することにより得られる様々な効果的な活用ができる点に着目し、本願による、「ブラインド構造」の提案に至ったものである。
【先行技術文献】
【特許文献】
【００１２】
【特許文献１】特開２０１６−２１１２１１号
【特許文献２】特願２０１７−１５９１８０号
【発明の概要】
【発明が解決しようとする課題】
【００１３】
これら従来技術にあるブラインド及びブラインドに準ずる回動可能な柵構造は、自由度の高いブラインドの日照の採光量及び、目隠しの程度のより細かなより自由度の高い調整、及びその自由度の高い両立可能な構成の自由度の高いブラインドについて十分に解決されていない。
【００１４】
また、より室内のより広いエリアへの外光の供給についても記載されていない。
【００１５】
また、従来のブラインドでは、特に高層ビルなどにおいては、ブラインドを少し開いているだけでも、斜め上方または下方の隣の高層ビルから、かなり部屋の中が見えてしまうという課題があり、特にそうした状況でのブラインドの設置においては、外光の採光と、目隠しの両立が困難である。
【００１６】
また、ブラインドにより目隠しや遮光をしながら、防虫効果のある構成についても記載されていない。
【００１７】
本発明は上記問題点に鑑み、日照の採光量、風通し、目隠しの程度を自由に調整できる自由度をもったブラインドの提供を図る。
【課題を解決するための手段】
【００１８】
本発明は、 略並列に対向可能に設けられた２以上の目隠し材から成り、前記目隠し材が、曲折可能な可撓性シート部材から成る自己曲折・回動目隠しであり、2以上の前記自己曲折・回動目隠しは略並列に、支持材に設けられており、該支持材は、前記自己回動目隠しの片側だけに設けられる場合は、２以上で、両側以上に設けられる場合は、４以上であり、前記支持材は、前記自己曲折・回動目隠しの位置を保持し前記１以上の支持材は前記目隠し材が並んだ方向である目隠し材並列方向あるいは、係るブラインド構造の前面に対して垂直方向であるブラインド面直方向、あるいは橋架した目隠し材の橋架方向つまり橋架させている支持材同士が近づいたり離れたりする方向である橋架方向に移動可能に設けられており、前記支持材が移動可能することによって、前記自己曲折・回動目隠しの曲折率あるいは面角度が可変であるブラインド構造である。
【００１９】
また、本発明は、略並列に対向可能に設けられた２以上の目隠し材から成り、前記目隠し材が、曲折、回動可能に曲折可能な回動構造を構成する曲折連結部材を備えて、自己の曲折、回動可能部分である曲折回動構造部を備えた自己曲折・回動目隠しであり、2以上の前記自己曲折・回動目隠しは略並列に、支持材に前記曲折回動構造部において曲折、回動可能に設けられており、前記支持材は、前記自己回動目隠しの片側だけに設けられる場合は、２以上で、両側以上に設けられる場合は、４以上であり、前記支持材は、前記自己曲折・回動目隠しの位置を保持し前記１以上の支持材は前記目隠し材が並んだ方向である目隠し材並列方向あるいは、係るブラインド構造の前面に対して垂直方向であるブラインド面直方向、あるいは橋架した目隠し材の橋架方向つまり橋架させている支持材同士が近づいたり離れたりする方向である橋架方向に移動可能に設けられており、前記支持材が移動可能することによって、前記自己曲折・回動目隠しの曲折率あるいは面角度が可変である構成とすることもできる。
【００２０】
また、本発明は、ブラインドを構成する２以上の目隠し材が、曲折、回動可能な回動構造を構成する曲折連結部材によって連結されて自己の曲折、回動可能部分である曲折回動構造部を備えた自己曲折・回動目隠しであり、前記２以上の自己曲折・回動目隠しが、略並列に支持材に前記曲折回動構造部において曲折、回動可能に設けられており、前記支持材は、前記自己回動目隠しの片側だけに設けられる場合は、２以上で、両側以上に設けられる場合は、４以上であり、前記支持材は、前記自己曲折・回動目隠しの位置を保持し前記１以上の支持材は前記目隠し材が並んだ方向である目隠し材並列方向あるいは、係るブラインド構造の前面に対して垂直方向であるブラインド面直方向、あるいは橋架した目隠し材の橋架方向つまり橋架させている支持材同士が近づいたり離れたりする方向である橋架方向に移動可能に設けられており、前記支持材が移動可能とすることによって、前記自己曲折・回動目隠しの曲折率あるいは面角度が可変である構成とすることもできる。
【００２１】
また、本発明は、前記支持材が、前記自己曲折・回動目隠しの４つの略角部である、目隠し角部の位置を、互いに相対的に移動させることによって、前記曲折連結部材において曲折、回動可能に前記自己曲折・回動目隠しに設けられている構成とすることもできる。
【００２２】
また、本発明は、前記目隠し材が、可撓性のシート部材である、可撓性シートである構成とすることもできる。
【００２３】
また、本発明は、前記目隠し材が、板材である構成とすることもできる。
【００２４】
また、本発明は、前記自己曲折・回動目隠しが、該自己曲折・回動目隠しに設けられた穴部に前記支持材が、貫通して設けられている構成とすることもできる。
【００２５】
また、本発明は、前記自己曲折・回動目隠しが、前記支持材に、前記自己曲折・回動目隠しと前記支持材を曲折、回動可能に設けられる回動支持構造を介して曲折、回動可能に設けられている構成とすることもできる。
【００２６】
また、本発明は、前記支持材が、互いに近付いたり、離れたりすることが可能に設けられ、前記支持材が互いに近付いたり、離れたりすることによって、前記自己曲折・回動目隠しの曲折回動構造部の角度を変更可能である構成とすることもできる。
【００２７】
また、本発明は、前記支持材が、レールであるスライドレールに設けられることによって互いに近付いたり、離れたりすることが可能であることで、前記自己曲折・回動目隠しの曲折回動構造部の角度を変更可能である構成とすることもできる。
【００２８】
また、本発明は、前記２以上の支持材の内、１以上の前記支持材が、互いの平行方向に移動可能で、前記自己曲折・回動目隠しの前記支持材に設けられている部分の位置を変えることによって、前記曲折連結部材の角度を変えることが可能である方向に移動可能に設けられている構成とすることもできる。
【００２９】
また、本発明は、前記支持材が、前記支持係止部材を介して前記自己曲折・回動目隠しに、該曲折回動構造部の位置を保持及び移動可能で且つ、前記曲折回動構造部を前記自己曲折・回動目隠しの他辺より高くまで移動可能に設けられている構成とすることもできる。
【００３０】
また、本発明は、前記目隠し材が、回動支持構造によって形成される回動軸方向の辺が傾斜した斜め方向に設けられている構成とすることもできる。
【００３１】
また、本発明は、略並列に対向可能に設けられた２以上の目隠し材から成り、前記目隠し材が、１以上の支持材に設けられており、前記支持材は、前記目隠し材の位置を保持し、前記目隠し材が前記支持材と前記目隠し材を回動可能に設けられる構成の回動支持構造によって形成される回動軸方向の辺が傾斜した斜め方向に設けられている構成とすることもできる。
【００３２】
また、本発明は、前記目隠し材の位置を保持可能に設けられた前記支持材が、前記目隠し材の両端の位置をそれぞれ独立して変更可能に設けられ、前記目隠し材の回動支持構造によって形成される回動軸方向の辺の傾斜角度が変更可能である構成とすることもできる。
【００３３】
また、本発明は、前記回動支持構造によって形成される回動軸方向の辺の傾斜角度が斜め方向に設けられているブラインド構造が、左右に連結され、左右の前記ブラインド構造において、前記目隠し材の前記斜め方向の傾斜角度または、傾斜方向がそれぞれ異なることによって、より広いエリアに外光を前記目隠し材に反射させて届けることが可能である構成とすることもできる。
【００３４】
また、本発明は、前記回動支持構造によって形成される回動軸方向の辺の傾斜角度が斜め方向に設けられている目隠し材が、前記斜め方向の傾斜角度または、傾き方向を変更可能である構成とすることもできる。
【００３５】
また、本発明は、前記ブラインド構造の支持材が水平方向にスライドして移動可能に設けられているレールであるスライドレールが、曲折可能なレール回動構造を備えたスライド回動レールであり、前記スライド回動レールが曲折することにより、前記自己曲折・回動目隠しの曲折あるいは前記斜め方向の傾斜角度の変更と合わせて、前記スライド回動レールが対応して曲折可能であることによって前記支持材間の距離を変更可能である構成とすることもできる。
【００３６】
また、本発明は、前記１以上のスライドレールまたはスライド回動レールが移動可能に設けられた構成とすることもできる。
【００３７】
また、本発明は、前記１以上のスライドレールまたはスライド回動レールが、前記スライドレールまたはスライド回動レールを移動可能にする為のレール用レールに設けられることによって、移動可能に設けられた構成とすることもできる。
【００３８】
また、本発明は、前記ブラインド構造の一連の目隠し材が全て一方に寄せられて、全開にすることが可能に設けられている構成とすることもできる。
【００３９】
また、本発明は、前記自己曲折・回動目隠しの一部または全部が、網状である構成とすることもできる。
【００４０】
また、本発明は、前記自己曲折・回動目隠しの前記曲折回動構造部が、網状である部分と、網状でない部分の境界であることにより、網部で前記ブラインド構造の前面と背面を遮断可能で、それにより、虫の侵入を遮断可能で、且つ、網状でない部分で、目隠しの調整が可能である構成とすることもできる。
【００４１】
また、本発明は、前記目隠し材が、前記目隠し材に反射した光が、分散して反射可能に連続的な凹条部及び凸条部を設けている構成とすることもできる。
【００４２】
また、本発明は、前記連続的な凹条部及び凸条部が連続的に、前記回動支持構造によって形成される回動軸方向の辺に対して略垂直方向に設けられていることによって、光を分散可能である構成とすることもできる。
【００４３】
また、本発明は、前記目隠し材に、反射板を設けた構成とすることもできる。
【発明の効果】
【００４４】
本発明に係るブラインド構造によれば、ブラインドの目隠し効果の自由度を高めることができる。
【００４５】
また、本発明に係るブラインド構造によれば、採光の効果を高め、より広いエリアに外光を届け、応用の幅を広げることができる。
【００４６】
また、本発明に係るブラインド構造によれば、ブラインドにより目隠しや遮光を調整可能にしながら、虫の侵入を防ぐことができる。
【図面の簡単な説明】
【００４７】
【図１】本発明に係るブラインド構造の基本構成図。
【図２】本発明に係るブラインド構造の斜視図。
【図３】本発明に係るブラインド構造のスライド支持部材の説明図。
【図４】本発明に係るブラインド構造の回動支持構造の斜視図。
【図５】本発明に係るブラインド構造の開閉状態のバリエーションの例の説明図。
【図６】本発明に係るブラインド構造の可撓性を有するシート部材で構成した例の説明図。
【図７】本発明に係るブラインド構造の可撓性を有するシート部材で構成した例の説明図。
【図８】本発明に係るブラインド構造の目隠し材が斜めに設けられた構成の説明図。
【図９】本発明に係るスライド回動レールの構成の説明図。
【図１０】本発明に係るブラインド構造の３方のスライドレールが回動可能に設けられた構成の例の上面図。
【図１１】本発明に係るブラインド構造のレール用レールの説明図。
【図１２】本発明に係るブラインド構造のレール用レールの説明図。
【図１３】本発明に係るブラインド構造の凹凸条部の説明図。
【発明を実施するための形態】
【００４８】
本発明であるブラインド構造１は、ブラインドを構成する目隠し材１０１に特徴を持たせることによって、日照の採光量、風通し、目隠しの程度を自由に調整可能とするものである。
【００４９】
本発明であるブラインド構造１は連結されたそれぞれの目隠し材１０１自体が曲折、回動可能部を設けた構成とされていることによって創出される目隠し材１０１の自由度により、目隠し性と採光性の応用、実用性の課題改善を実現させることを最大の特徴とする。
【００５０】
以下、実施例を図面に基づいて説明する。
尚、本実施例で示されるブラインド構造１の全体形状及び各部の形状、構成は、下記に述べる実施例に限定されるものではなく、本発明の技術的思想の範囲内、即ち、同一の作用効果を発揮できる形状、構成及び寸法の範囲内で変更することができるものである。
【００５１】
図１は本発明の代表的な構成の例を示す代表図面である。
【００５２】
図１において、目隠し材１０１は、略並列に対向可能に設けられた２以上の目隠し材１０１が、板材であり、曲折、回動可能に曲折可能な回動構造を構成する曲折連結部材１０６を介して連結されることによって自己の曲折、回動可能部分である曲折回動構造部１０７を備えた自己曲折・回動目隠し１０９であり、１１枚の前記自己曲折・回動目隠し１０９が略並列に、片側だけで３本の支持材１０２、つまり、両側で６本の支持材１０２に曲折、回動可能な回動支持構造１０５を介して設けられている構成の例である。
【００５３】
尚係る支持材１０２は、前記自己曲折・回動目隠し１０９の位置を保持しており、且つ、上下方向にも移動可能で前後の水平方向にも移動可能な構成となっており、水平方向への移動可能はスライドレール１２９に設けられた図２に示される略水平方向へ移動可能なスライド支持部材１２７によって移動可能となっており、互いの支持材１０２が近づいたり離れたりすることが可能に設けられており、係るスライドレール１２９は、支持枠１０８によって支えられた構成の例である。
【００５４】
尚、係るスライド支持部材１２７は、係る支持材１０２を保持すると共に、支持材１０２の上下動作を可能とするスライドロール１３９を備えている（図２、図３参照）。
【００５５】
尚、目隠し材１０１の上下方向への移動可能構造は、図４の様なネジ構造による上下動としたネジ支持材 １４９としても良いし、その構造については、本発明の技術的思想の範囲内、即ち、同一の作用効果を発揮可能な範囲内で、限定しない。
【００５６】
尚、係る支持材１０２は、図１においては両側に３本ずつ設けられているが、2本ずつでも良いし、それ以上でも良い。
【００５７】
また、本図の構成の例においては、左右の支持材１０２は、上下部で一体に設けられている為、左右の支持材１０２が連動して動作可能となっている。
【００５８】
また、目隠し材１０１は、略水平方向に設けられているが、縦方向でも良いし、斜め方向でも良い。
【００５９】
また、図1においては、3本の支持材１０２が、上下方向と水平方向に移動可能に設けられることによって、目隠し材１０１の開閉角度を調整可能に設けられているが、係る3本の内の1本の支持材１０２は、移動不可能に設け、目隠し材１０１との係止を曲折、回動可能に設ける構成としてもよく、例えば、曲折回動構造部１０７に設けられた支持材Ｃ１０２Ｃを係る移動不可能に設け、前面側と背面側の支持材Ａ１０２Ａと支持材Ｂ１０２Ｂを、移動可能に各目隠し材１０１に回動支持構造１０５を介して設け、その際に、スライドレール１２９及び、スライド支持部材１２７を設けず、係る回動支持構造１０５あるいは、曲折回動構造部１０７の回動トルクを、自然と緩まない程度に設定した構成としても良い。
【００６０】
図1の構成の様に、曲折回動構造部１０７を支持する、支持材Ｃ１０２Ｃを設けることによって、係る曲折回動構造部１０７を上下や前後に移動可能である為、例えば、係る自己曲折・回動目隠し１０９を逆Ｖ字にする等、自由度が増す構成となる。
【００６１】
尚、図１では曲折回動構造部１０７は1つであるが、2以上で曲折、回動しても良い。
【００６２】
係る構成の様に、自己曲折・回動目隠し１０９が曲折回動構造増部を備えて曲折、回動することによって、斜め上、あるいは、斜め下からの視線を必要に応じて、遮断することができ、且つ、太陽光の入光量も、自由に調整でき、有用である。
【００６３】
一般的なブラインドの様に１枚の目隠し材１０１が並列に並んでいるだけのブラインドだと、特に、ビルや高層マンションが隣り合うような部屋だと、少しブラインドを開ければ外から見える構成となるという懸念があった。つまり、隣の斜め上あるいは、斜め下の階の部屋からは、見えてしまうという問題点があり、かといって、全部閉めてしまうと、外からの日光が入らず、暗くなるという問題点があったが、そうした問題点を、解消することができる。
【００６４】
支持材１０２は、前記自己曲折・回動目隠し１０９及び曲折連結部材１０６の位置を保持しており、係る支持材１０２は、板状でも良いし、棒状、ネジ形状を備えた棒状、可撓性のある紐状でも、帯状でも良く、本発明の技術的思想の範囲内、即ち、同一の作用効果を発揮可能な範囲内で、限定しない。
【００６５】
また、支持材１０２と自己曲折・回動目隠し１０９の係止部である、回動支持構造１０５は、嵌め合い形状や、紐や生地やスイベル構造を備えた金属部材などを介してもよく、また、自己曲折・回動目隠し１０９に設けられた穴に貫通して設けられてもよく、回動可能に設けられることによって自己曲折・回動目隠し１０９の角度を変更可能とするものである。
【００６６】
また、前記支持材１０２は前記自己曲折・回動目隠し１０９の４つの略角部である、目隠し角部を、互いに相対的に上げ下げ可能に設けられることによって、係る自己曲折・回動目隠し１０９の曲折回動構造部１０７において、曲折可能に設けられている。
【００６７】
図２は本発明に係るブラインド構造１の右上方からの斜視図であり、図２（ｂ）は図２（ａ）のスライドレール１２９の内部を可視可能に側面を開けた構成の例を示す説明図である。
図２（ｂ）に示される様に、支持材１０２は、スライド支持部材１２７内に設けられた二つのスライドロール１３９に挟持されるようにして保持されており、係る構成の例の断面図が、図３であり、スライドレール１２９及び、スライド支持部材１２７及び支持材１０２の断面図である。
【００６８】
係るスライドロール１３９は、図３に示す様に、係る支持材１０２が落下しない程度に、且つ、係る支持材１０２を上下に移動できる程度のトルクに設定されており、また、係るスライド支持部材１２７は、係るスライドレール１２９内を略水平方向に移動可能な構成の例を示している。
【００６９】
図３の構成の例においては、支持材１０２がスライドレール１２９に設けられたレールスリット１３８を挿通してスライド支持部材１２７に設けられたスリットを通過してスライドロール１３９に挟持されて保持されている構成の例である。
【００７０】
尚、支持材１０２が、特にネジタイプのネジ支持材 １４９の構成の場合は、ネジ支持材 １４９の上部に一体にスライド支持部材１２７を設けてスライドレール１２９内を移動可能に設けても良い。 
係る構成によって、目隠し材１０１は自由に曲折回動構造部１０７において曲折可能となっている構成の例である。
例えば、自己曲折・回動目隠し１０９の前側に設けられている支持材Ａ１０２Ａを上下することによって、自己曲折・回動目隠し１０９の角度を調節することができ、また、合わせて支持材Ａ１０２Ａを前後方向にスライドさせることによっても、自己曲折・回動目隠し１０９の角度をより自由に調節することができる。
【００７１】
本構成の例においては、支持材Ａ１０２Ａ、支持材１０２Ｂ、支持材１０２Ｃのそれぞれが上下移動あるいは、前後への水平移動が可能に設けられているが、例えば、支持材１０２Ｂは、係る上下あるいは、前後への移動はせず、支持材Ａ１０２Ａと支持材１０２Ｃのみが係る上下あるいは前後への移動可能である構成としても、開閉については、ほぼ同様の動作が可能である。
【００７２】
図4は、支持材１０２がネジ構造を備えたネジ支持材 １４９であり、係るネジの回転運動によって、係る螺旋状のネジ部に設けられた 目隠し材１０１の支持材１０２との係止部が上下する構成の例である。
図４（ａ）は、係る構成の係止部の正面図であり、図４（ｂ）は、側面断面図であり、図４（ｃ）は、側面図を示している。
目隠し材１０１の支持材１０２との係止部である、支持係止部材１４７が、係るネジ支持材 １４９のネジ溝１４８に嵌合して設けられていることによって、係るネジ支持材 １４９の回転運動によって、目隠し材１０１が上下運動可能である構成の例である。
また、係るネジ支持材 １４９も、前後への水平方向への移動が可能な、スライド支持部材１２７やスライドレール１２９に設けられることによって、係る目隠し材１０１の開閉の自由度が上がる構成とすることができる。
【００７３】
図５は、自己曲折・回動目隠し１０９の開閉のバリエーションの断面図を示している。
例えば、図５（ａ）の開閉であれば、外からの視線を略完全にシャットアウトしながら、日光の光を取り入れることができ、しかも、直射日光とはならず、曲折した目隠し材１０１材に反射した光として日光を取り込むことが可能であるので、窓際で読書や、勉強や仕事をする際にも、眩しすぎるということもなく調整可能であると共に、外から見えることも無い。
【００７４】
また、例えば、図５（ｂ）の開閉であれば、右側の目隠し材１０１を閉じて、左側の目隠し材１０１は開閉調整される状態を示しており、この構成の場合は例えば、右側の目隠し材１０１は網状にして、左側の目隠し材１０１は非網状の構成とすることによって、右側の目隠し材１０１で虫の侵入を防ぎながら、左側の目隠し材１０１で、目隠しや日光の侵入の調整をしても良い。
【００７５】
図５（ｃ）の開閉は、従来の一般的なブラインドの開閉状態を示しており、これでは、斜め上方から部屋の中は丸見えであるし、日光も直射日光が入ってくるので、眩しすぎる場合がある。
図５（ｄ）は、図５（ａ）の開閉の上下逆方向への開閉であり、外からの視線は遮断しながら、眩しすぎない程度に外光を取り入れることが可能である状態を示している。
図５（ｅ）は、完全に閉じた状態である。
【００７６】
図６は、図１の構成の目隠し材１０１の構成を、可撓性を有するシート部材 １６１で構成した例の説明図である。
【００７７】
図６（ａ）は、６本のシート挟持部材１６２と、１枚のシート部材 １６１の構成を示しており、図６（ｂ）に示される様に、係るシート部材 １６１を、２本ずつを３対、合計６本のシート挟持部材１６２で挟み込んで自己曲折・回動目隠し１０９を構成し、図６（ｃ）において、係る自己曲折・回動目隠し１０９を左右３本ずつ、合計６本の支持材１０２に設けた例であり、係る支持材１０２は、図１の構成同様、上下あるいは、水平方向に移動可能であることによって、係る自己曲折・回動目隠し１０９の角度及び、開閉度合いを調整可能とした構成の例を示している。
係る構成においては、係る３対のシート挟持部材１６２の両端部に、支持係止部材１４７として、輪状の紐を設けており、係る紐を、各支持材１０２の係止部に設けることによって、回動可能に支持材１０２に自己曲折・回動目隠し１０９が設けられた構成であり、３対の内、真ん中のシート挟持部材１６２によって挟持された部分でシート部材 １６１が曲折可能となり、曲折回動構造部１０７を構成している例である。
尚、図６は、自己曲折・回動目隠し１０９と支持材１０２のみの図であり、その他の部材は、省略している。
【００７８】
図７は、４本のシート挟持部材１６２と、１枚のシート部材 １６１の構成を示しており、図7（ｂ）に示される様に、係るシート部材 １６１を、２本ずつを２対、合計４本のシート挟持部材１６２で挟み込んで自己曲折・回動目隠し１０９を構成し、図７（ｃ）において、係る自己曲折・回動目隠し１０９を左右２本ずつ、合計４本の支持材１０２に設けた例であり、係る支持材１０２は、図１の構成同様、上下あるいは、水平方向に移動可能であることによって、係る自己曲折・回動目隠し１０９の角度及び、開閉度合いを調整可能とした構成の例を示している。
【００７９】
係る構成においては、係る２対のシート挟持部材１６２の両端部に、支持係止部材１４７として、輪状の紐を設けており、係る紐を、各支持材１０２の係止部に設けることによって、回動可能に支持材１０２に自己曲折・回動目隠し１０９が設けられた構成である。
尚、係るシート挟持部材１６２は、係るシート部材 １６１を挟み込んで、ビス１６３にて固定した構成となっている。
尚、図７は、自己曲折・回動目隠し１０９と支持材１０２のみの図であり、その他の部材は、省略している。
【００８０】
図８は、目隠し材１０１である自己曲折・回動目隠し１０９が、支持材１０２に、回動支持構造１０５によって形成される回動軸方向の辺が斜め、つまり、係るブラインドの内側または外側を形成する面上にある係る目隠し材１０１である自己曲折・回動目隠し１０９の辺が、斜めに設けられた構成を示している。
【００８１】
このように、回動支持構造１０５によって形成される回動軸方向の辺が斜めに設けられることによって、係る目隠し材１０１に日光を反射させて、例えば、係るブラインドを設けられた窓の正面だけでなく、窓の横の方のスペースに対しても、斜め方向に日光を反射させて、明かりを届けることが可能となり、部屋全体に、より満遍なく光を届けることが可能となり、有用である。
また、図面には載せていないが、係る目隠し材１０１を逆Ｖ字など、左右で係る斜め方向の傾きを変えて設ける構成とすることによって、窓の両サイドに日光を供給することが可能となる。また、係る回動支持構造１０５によって形成される回動軸方向の辺の斜め角度や、方向を可変とする構成とすることもできる。
【００８２】
係る斜め角度の調整は、太陽の位置によって、より適切な斜め角度に調整することによって、より効果的に、日光を取り込むことができることとなり、有用である。
また、特に、係る回動支持構造１０５によって形成される回動軸方向の辺の斜め角度を可変とする構成については、係る支持材１０２間の距離が可変な構成とする必要があり、図９の構成の例の様にスライドレール１２９を曲折可能な構成としても良いし、係る支持材１０２間が変わる横の水平方向にも支持材１０２が移動可能な構成としても良いし、支持材１０２を紐状の構成として、支持材１０２間が伸びる分、紐状の支持材１０２が伸びることによって、支持材１０２間の距離を可変とする構成としても良く、本発明の技術的思想の範囲内、即ち、同一の作用効果を発揮可能な範囲内で、その構成は限定しない。
【００８３】
また、特に、構成の例の様に、曲折回動構造部１０７を設けた目隠し材１０１であることによって、より自由度が高く、採光の自由度を高めると共に、且つ、目隠し性を両立させる自由度を高めることができる構成とすることができ有用であり、また、係る曲折回動構造部１０７を、2以上設けることによって、更に自由度を高めることが可能となる。
【００８４】
また、係る回動支持構造１０５によって形成される回動軸方向の辺が斜めの角度や方向を可変にすることによって、斜め方向へ反射させての光の入り方を調整することが可能となり、有用である。
また、係る、自己曲折・回動目隠し１０９が回動支持構造１０５によって形成される回動軸方向の辺が斜めに設けられることによって、左右の支持材１０２間の距離が変わることとなる。
【００８５】
また、係る回動支持構造１０５によって形成される回動軸方向の辺を斜めに設けることによって、図８の構成の例の様に、係るブラインド構造１の左上部と右下にできるような三角状の開口部には、図には示していないが、係る３角状を埋める様に、長さの違う目隠し材１０１を設けた構成としても良いし、係る開口部用の別のカーテン等の目隠しを設ける構成としても良い。
【００８６】
また、係る回動支持構造１０５によって形成される回動軸方向の辺が斜め、または、斜めの角度や方向を可変であって、斜め方向へ反射させての光の入り方を調整することが可能である構成は、目隠し材１０１が曲折回動構造部１０７を設けていない構成においても、有用である。
尚、図８は、自己曲折・回動目隠し１０９と支持材１０２のみの図であり、その他の部材は、省略している。
【００８７】
図９は、スライドレール１２９が、曲折可能な回動構造を備えたスライド回動レール１９２の構成の上面図による説明図である。
係る説明図は、ほぼスライド回動レール１９２部分のみの説明図となっている。
係るスライド回動レール１９２は、図９においては、スライドレール１２９が中程において、回動構造であるレール回動構造１９１を備え、係るレール回動構造１９１によって回動することによって、Ｖ字に曲折可能である構成の例である。
【００８８】
係る構成によって、例えば、左右の支持材１０２間の距離が可変に調整できることが可能となる為、例えば、自己曲折・回動目隠し１０９を斜めにしたい場合は、係るスライド回動レール１９２のレール回動構造１９１の回動によって、スライド回動レール１９２が曲折することによって、係る支持材１０２間の距離を短くすることができ、また、係るスライド回動レール１９２のレールを支持材１０２がスライドして移動することも可能であるので、自己曲折・回動目隠し１０９の開閉の幅も、自由に設定できる構成とすることができる。
【００８９】
図10は、図９のスライド回動レール１９２の構成において、レール回動構造１９１によって、３方のスライドレール１２９が回動可能に設けられた構成の例の上面図である。
係る構成は、曲折回動構造部１０７を支持する支持材１０２を設けて、且つ、自己曲折・回動目隠し１０９を、回動支持構造１０５によって形成される回動軸方向の辺が斜めに設けられる場合に、係る曲折回動構造部１０７に設けられた支持材１０２が、他の支持材１０２と同一面でなくなるような場合に、対応した構成の例となっており、曲折回動構造部１０７の回動支持構造１０５部が、自己曲折・回動目隠し１０９が水平設けられた場合よりも、右にずれ、そのずれに対応して、係る曲折回動構造部１０７の回動支持構造１０５部に支持材１０２の位置を調整する、第３支持位置調整部材２１２としての、レール回動構造１９１によって回動したもう一つのスライドレール１２９とスライド支持部材１２７によって、支持材１０２の位置が調整されている構成の例である。  
【００９０】
本構成においては、係る自己曲折・回動目隠し１０９が回動支持構造１０５によって形成される回動軸方向の辺が斜めに設けられる場合に、曲折回動構造部１０７の回動支持構造１０５部がこの様に、係る曲折回動構造部１０７に設けられた支持材１０２が、他の支持材１０２と同一面でなくなるようにずれた場合に、対応した構成であり、係る構成としては、この他に、図面には示していないが、支持材１０２に曲折部を設けることによって、係るずれに対応可能な構成としても良く、係るずれへの対応構造は、この他、本発明の技術的思想の範囲内、即ち、同一の作用効果を発揮可能な範囲内で限定しない。
尚、係る支持材１０２の曲折部は、紐でも良いし、チェーン、関節構造でも良いが、曲折した係る支持材１０２が、斜めになることなく、並列の自己曲折・回動目隠し１０９に沿う構造とすることが望ましく、係る構造については、本発明の技術的思想の範囲内、即ち、同一の作用効果を発揮可能な範囲内で限定しない。
【００９１】
図11は、図９の様に、左右の支持材１０２間の距離を可変に調整可能とする構成として、スライドレール１２９またはスライド回動レール１９２が、係るスライドレール１２９またはスライド回動レール１９２を移動可能にする為のレール用レール２１１に設けられることによって、係る支持材１０２間の距離を可変にした構成の例を示す上面図である。
【００９２】
係る構成によって、例えば、自己曲折・回動目隠し１０９を斜めにしたい場合も、自由に斜め角度を調整可能となる。
【００９３】
図１１（ｂ）は図１１（ａ）の状態から、自己曲折・回動目隠し１０９が回動支持構造１０５によって形成される回動軸方向の辺が斜めに設けられることによって、支持材１０２間の距離が短くなり、その分、スライドレール１２９がレール用レール２１１上を、支持材１０２間の距離が短くなる方向に移動した状態を示している。
【００９４】
図１２は、図１１のレール用レール２１１に、スライド回動レール１９２を設けた構成の例を示している上面図である図１２（ａ）と、スライドレール１２９に、第３支持位置調整部材２１２としてのもう一つのスライドレール１２９が、スライド可能に設けられている構成の例を示している上面図である図１２（ｂ）である。
係る構成によって、図１０の構成の例同様に、曲折回動構造部１０７を支持する支持材１０２を設けて、且つ、自己曲折・回動目隠し１０９を、回動支持構造１０５によって形成される回動軸方向の辺が斜めに設けられる場合に、係る曲折回動構造部１０７に設けられた支持材１０２が、他の支持材１０２と同一面でなくなるような場合に、対応した構成の例となっている。
【００９５】
スライドレール１２９またはスライド回動レール１９２またはレール用レール２１１は、支持材１０２のスライド移動可能なレールであればよく、一連の本図構成の様に、スライド方向にスリットを設けて、係るスリット内に引掛けるようにしてスライド支持部材１２７を設けて支持材１０２をスライドさせても良いし、ただの棒にスライド移動可能に支持材１０２を吊設しても良いし、本発明の技術的思想の範囲内、即ち、同一の作用効果を発揮可能な範囲内で限定しない。
また、スライドレール１２９またはスライド回動レール１９２またはレール用レール２１１の素材は、鉄やアルミニウムの金属、木、プラスチック、ガラス、陶磁器でもよく、本発明の技術的思想の範囲内、即ち、同一の作用効果を発揮可能な範囲内で限定しない。
【００９６】
また、スライド支持部材１２７は、支持材１０２と一体でも良いし、別体でもよく、また、車輪を設けても良く、本発明の技術的思想の範囲内、即ち、同一の作用効果を発揮可能な範囲内で限定しない。
【００９７】
図１３は、目隠し材１０１に凹条部及び凸条部が連続的に、前記回動支持構造１０５によって形成される回動軸方向の辺に対して略垂直方向に設けられている構成の、目隠し材１０１の断面斜視図を示しており、係る凹条部と凸条部が、波状な形状において設けられている構成の例を示しており、係る構成とすることによって、特に、暗くなりがちな係るブライドを設けられた窓の側方エリアにも、光を反射させて届け易くなる効果があり、有用である。
係る構成によって、窓から入ってきた日光を、分散させる効果があり、係る日光の分散効果により、より、部屋全体に、柔らかく光を届けることが可能となり、特に、光が直接入る窓の正面との明暗のギャップの多い窓の側方部にも、より、光を届けることが可能となる。
【００９８】
尚、一連の本図の構成の例において、
それぞれの図で説明した構成の例は、他の図の構成の例と合わせて応用することができるものである。
【００９９】
また、曲折連結部材１０６あるいは曲折回動構造部１０７は、目隠し材１０１が板材の場合は、蝶番でも、嵌め合い、ポリプロピレン等プラスチックの成形品で薄肉部を設けても良いし、可撓性シートや紐で連結しても良いし、目隠し材１０１がシート部材 １６１の場合は、シート挟持部材１６２で曲折回動構造部１０７を構成しても良く、その他、本発明の技術的思想の範囲内、即ち、同一の作用効果を発揮可能な範囲内で限定しない。
【０１００】
また、回動支持構造１０５は、自己曲折・回動目隠し１０９と支持材１０２を回動可能に係止するものであり、凸部と凹部の嵌め合い構造、蝶番、紐等の可撓性材料でもよく、本発明の技術的思想の範囲内、即ち、同一の作用効果を発揮可能な範囲内で限定しない。
【０１０１】
また、上下または上下方向は、つまり、目隠し材１０１が並んだ方向である目隠し材１０１並列方向であり、前後または前後方向は係るブラインド構造１の前面部に対して垂直方向であるブラインド面直方向であり、左右または左右方向は、つまり橋架した目隠し材１０１の橋架方向つまり橋架させている支持材１０２同士が近づいたり離れたりする方向である橋架方向であり、特に、ブラインドの目隠し材１０１が鉛直方向、つまり、懸垂されたように設けられた場合は、係る上下、左右方向は、係る目隠し板が９０度回転するのと合わせて回転するが、それぞれ、係る目隠し材１０１並列方向、ブラインド面直方向であり、前後方向は面直方向で変わらないものである。
【０１０２】
また、係る目隠し材１０１の材質は、金属でも良いし、ガラス、プラスチックでも、また、形状は網状でも、凹凸があっても、湾曲していても、曲がりがあっても、また、反射板でもよく、本発明の技術的思想の範囲内、即ち、同一の作用効果を発揮可能な範囲内で、限定しない。
【０１０３】
また、反射板にすることによって、例えば、北側の部屋で暗い場合にも、より部屋の奥まで、また、必要なエリアに、より多くの光を届けることが可能となる。
【０１０４】
また、図面には示していないが、係る一連の目隠し材１０１が全て一方に寄せられて、全開にすることが可能に設ける構成としても良い。
尚、この全て一方に寄せられてというのは、係る目隠し材１０１が、例えば略水平に設けられている場合は、上方に、垂直に設けられている場合は、左右どちらか一方に寄せられるということを示している。
また、係る一連の目隠し材１０１を一方に寄せる構造は、例えば、水平方向に設けられた目隠し材１０１の場合、一連の最端の目隠し材１０１を引き上げることによって、他の一連の目隠し材１０１をまとめて一方に寄せていくことが可能となる。
但し、この場合、支持材１０２は可撓性を有する紐や帯状体で係る目隠し材１０１が連結されていることが望ましい。
尚、係る全ての目隠し材１０１が一方に寄せられる構成は、その他、本発明の技術的思想の範囲内、即ち、同一の作用効果を発揮可能な範囲内で限定しない。
【産業上の利用可能性】
【０１０５】
本願発明に係るブラインド構造１によれば、採光の自由度と、外からの目隠しの自由度が高まり、有用である。
【０１０６】
採光の自由度については、ブラインドの開閉による直射日光量の調整と、より広いエリア、つまり、窓から死角になるエリアへの光の採光効果もあり、有用である。
【０１０７】
また、目隠しにおいても、従来のブラインドでは、例えば高層ビル等では、少し開けるだけで、斜め方向、例えば、隣の上斜めまたは下斜めの部屋から丸見えになるという問題点があったが、そうした問題点も解消でき、プライバシーの保護、犯罪の抑制にも繋がり、有用であり、産業上利用可能性は大きいと思量される。
【符号の説明】
【０１０８】
１    ブラインド構造
１０１  目隠し材
１０２  支持材
１０２Ａ  支持材Ａ
１０２Ｂ  支持材Ｂ
１０２Ｃ  支持材Ｃ
１０５  回動支持構造
１０６  曲折連結部材
１０７  曲折回動構造部
１０８  支持枠
１０９  自己曲折・回動目隠し
１２７  スライド支持部材
１２９  スライドレール
１３８  レールスリット
１３９  スライドロール
１４７  支持係止部材
１４８  ネジ溝
１４９  ネジ支持材 
１６１  シート部材
１６２  シート挟持部材
１６３  ビス
１９１  レール回動構造
１９２  スライド回動レール 
２１１  レール用レール
２１２  第３支持位置調整部材
【図１】
2019183393.tif 000003
【図２】
2019183393.tif 000004
【図３】
2019183393.tif 000005
【図４】
2019183393.tif 000006
【図５】
2019183393.tif 000007
【図６】
2019183393.tif 000008
【図７】
2019183393.tif 000009
【図８】
2019183393.tif 000010
【図９】
2019183393.tif 000011
【図１０】
2019183393.tif 000012
【図１１】
2019183393.tif 000013
【図１２】
2019183393.tif 000014
【図１３】
2019183393.tif 000015
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
ブラインド構造（１）であって、
前記ブラインド構造（１）は、略並列に対向可能に設けられた２以上の目隠し材（１０１）から成り、
前記目隠し材（１０１）が、
曲折可能な可撓性シート部材（１６１）から成る自己曲折・回動目隠し（１０９）であり、
2以上の前記自己曲折・回動目隠し（１０９）は略並列に、支持材（１０２）に設けられており、
該支持材（１０２）は、前記自己回動目隠しの片側だけに設けられる場合は、２以上で、両側以上に設けられる場合は、４以上であり、
前記支持材（１０２）は、前記自己曲折・回動目隠し（１０９）の位置を保持し
前記１以上の支持材（１０２）は
前記目隠し材（１０１）が並んだ方向である目隠し材（１０１）並列方向あるいは、係るブラインド構造（１）の前面に対して垂直方向であるブラインド面直方向、あるいは橋架した目隠し材（１０１）の橋架方向つまり橋架させている支持材（１０２）同士が近づいたり離れたりする方向である橋架方向に移動可能に設けられており、
前記支持材（１０２）が移動可能とすることによって、前記自己曲折・回動目隠し（１０９）の曲折率あるいは面角度が可変であり、
前記目隠し材（１０１）が、回動支持構造（１０５）によって形成される回動軸方向の辺が、水平方向に対して傾斜した斜め方向に設けられていることを特徴とするブラインド構造（１）。
【請求項２】
ブラインド構造（１）であって、
前記ブラインド構造（１）は、略並列に対向可能に設けられた２以上の目隠し材（１０１）から成り、
前記目隠し材（１０１）が、
曲折、回動可能に曲折可能な回動構造を構成する曲折連結部材（１０６）を備えて、
自己の曲折、回動可能部分である曲折回動構造部（１０７）を備えた自己曲折・回動目隠し（１０９）であり、
2以上の前記自己曲折・回動目隠し（１０９）は略並列に、支持材（１０２）に前記曲折回動構造部（１０７）において曲折、回動可能に設けられており、
前記支持材（１０２）は、前記自己回動目隠しの片側だけに設けられる場合は、２以上で、両側以上に設けられる場合は、４以上であり、
前記支持材（１０２）は、前記自己曲折・回動目隠し（１０９）の位置を保持し
前記１以上の支持材（１０２）は
前記目隠し材（１０１）が並んだ方向である目隠し材（１０１）並列方向あるいは、係るブラインド構造（１）の前面に対して垂直方向であるブラインド面直方向、あるいは橋架した目隠し材（１０１）の橋架方向つまり橋架させている支持材（１０２）同士が近づいたり離れたりする方向である橋架方向に移動可能に設けられており、
前記支持材（１０２）が移動可能とすることによって、前記自己曲折・回動目隠し（１０９）の曲折率あるいは面角度が可変であり、
前記目隠し材（１０１）が、回動支持構造（１０５）によって形成される回動軸方向の辺が、水平方向に対して傾斜した斜め方向に設けられている
ことを特徴とするブラインド構造（１）。
【請求項３】
ブラインド構造（１）であって、ブラインドを構成する２以上の目隠し材（１０１）が、
曲折、回動可能な回動構造を構成する曲折連結部材（１０６）によって連結されて
自己の曲折、回動可能部分である曲折回動構造部（１０７）を備えた自己曲折・回動目隠し（１０９）であり、
前記２以上の自己曲折・回動目隠し（１０９）が、略並列に支持材（１０２）に前記曲折回動構造部（１０７）において曲折、回動可能に設けられており、
前記支持材（１０２）は、前記自己回動目隠しの片側だけに設けられる場合は、２以上で、両側以上に設けられる場合は、４以上であり、
前記支持材（１０２）は、前記自己曲折・回動目隠し（１０９）の位置を保持し
前記１以上の支持材（１０２）は
前記目隠し材（１０１）が並んだ方向である目隠し材（１０１）並列方向あるいは、係るブラインド構造（１）の前面に対して垂直方向であるブラインド面直方向、あるいは橋架した目隠し材（１０１）の橋架方向つまり橋架させている支持材（１０２）同士が近づいたり離れたりする方向である橋架方向に移動可能に設けられており、
前記支持材（１０２）が移動可能とすることによって、前記自己曲折・回動目隠し（１０９）の曲折率あるいは面角度が可変であり、
前記目隠し材（１０１）が、回動支持構造（１０５）によって形成される回動軸方向の辺が、水平方向に対して傾斜した斜め方向に設けられている
ことを特徴とするブラインド構造（１）。
【請求項４】
前記支持材（１０２）が、前記自己曲折・回動目隠し（１０９）の４つの略角部である、目隠し角部の位置を、互いに相対的に移動させることによって、前記曲折連結部材（１０６）において曲折、回動可能に前記自己曲折・回動目隠し（１０９）に設けられていることを特徴とする請求項１から請求項３のいずれかに記載のブラインド構造（１）。
【請求項５】
前記目隠し材（１０１）が、可撓性のシート部材（１６１）である、可撓性シートであることを特徴とする請求項１から請求項４のいずれかに記載のブラインド構造（１）。
【請求項６】
前記目隠し材（１０１）が、板材であることを特徴とする請求項２から請求項４のいずれかに記載のブラインド構造（１）。
【請求項７】
前記自己曲折・回動目隠し（１０９）が、前記支持材（１０２）に、前記自己曲折・回動目隠し（１０９）と前記支持材（１０２）を曲折、回動可能に設けられる回動支持構造（１０５）を介して曲折、回動可能に設けられていることを特徴とする、請求項１から請求項６のいずれかに記載のブラインド構造（１）。
【請求項８】
前記支持材（１０２）が、レールであるスライドレール （１２９）に設けられることによって互いに近付いたり、離れたりすることが可能であることで、前記自己曲折・回動目隠し（１０９）の曲折回動構造部（１０７）の角度を変更可能であることを特徴とする請求項１から請求項７のいずれかに記載のブラインド構造（１）。
【請求項９】
前記２以上の支持材（１０２）の内、１以上の前記支持材（１０２）が、互いの平行方向に移動可能で、前記自己曲折・回動目隠し（１０９）の前記支持材（１０２）に設けられている部分の位置を変えることによって、前記曲折連結部材（１０６）の角度を変えることが可能である方向に移動可能に設けられていることを特徴とする請求項２から請求項７のいずれかに記載のブラインド構造（１）。 
【請求項１０】
ブラインド構造（１）であって、
前記ブラインド構造（１）は、略並列に対向可能に設けられた２以上の目隠し材（１０１）から成り、
前記目隠し材（１０１）が、
１以上の支持材（１０２）に設けられており、
前記支持材（１０２）は、前記目隠し材（１０１）の位置を保持し、前記目隠し材（１０１）が前記支持材（１０２）と前記目隠し材（１０１）を回動可能に設けられる構成の回動支持構造（１０５）によって形成される回動軸方向の辺が水平方向に対して傾斜した斜め方向に設けられていることを特徴とするブラインド構造（１）。
【請求項１１】
前記目隠し材（１０１）の位置を保持可能に設けられた前記支持材（１０２）が、前記目隠し材（１０１）の両端の位置をそれぞれ独立して変更可能に設けられ、前記目隠し材（１０１）の回動支持構造（１０５）によって形成される回動軸方向の辺の水平方向に対する傾斜角度が変更可能であることを特徴とする請求項１から請求項１０のいずれかに記載のブラインド構造（１）。
【請求項１２】
前記回動支持構造（１０５）によって形成される回動軸方向の辺の水平方向に対する傾斜角度が斜め方向に設けられているブラインド構造（１）が、左右に連結され、
前記左右に連結されたのブラインド構造（１）において、前記目隠し材（１０１）の前記斜め方向の傾斜角度または、傾斜方向がそれぞれ異なることによって、より広いエリアに外光を前記目隠し材（１０１）に反射させて届けることが可能であることを特徴とする請求項１から請求項１１のいずれかに記載のブラインド構造（１）。
【請求項１３】
前記回動支持構造（１０５）によって形成される回動軸方向の辺の水平方向に対する傾斜角度が斜め方向に設けられている目隠し材（１０１）が、前記斜め方向の傾斜角度または、傾き方向を変更可能であることを特徴とする請求項１から請求項１２のいずれかに記載のブラインド構造（１）。
【請求項１４】
前記ブラインド構造（１）の支持材（１０２）が水平方向にスライドして移動可能に設けられているレールであるスライドレール （１２９）が、曲折可能なレール回動構造（１９１）を備えたスライド回動レール（１９２） であり、前記スライド回動レール（１９２） が曲折することにより、前記自己曲折・回動目隠し（１０９）の曲折角度の変更と合わせて、前記スライド回動レール（１９２） が対応して曲折可能であることによって前記支持材（１０２）間の距離を変更可能であることを特徴とする、請求項８から請求項１３のいずれかに記載のブラインド構造（１）。
【請求項１５】
前記自己曲折・回動目隠し（１０９）の一部または全部が、網状であることを特徴とする、請求項１から請求項１４のいずれかに記載のブラインド構造（１）。
【請求項１６】
前記目隠し材（１０１）に、反射板を設けたことを特徴とする請求項１から請求項１５のいずれかに記載のブラインド構造（１）。